(57)【要約】【課題】調理物を焼きむらを生ずることなく均一に焼成できると共に、着火性や燃焼の安定性を損なうことなく消費ガス量を減少できるようにしたグリル用バーナを提供する。【解決手段】グリル用バーナに備える燃焼プレート８に、炎孔８１の配置密度が疎の疎炎孔領域８ａと、疎炎孔領域８ａを囲う、炎孔８１の配置密度が疎炎孔領域８ａより密の密炎孔領域８ｂとを設ける。また、燃焼プレート８の疎炎孔領域８ａの裏面部分に座ぐり部８３を形成して、燃焼プレート８の疎炎孔領域８ａの板厚を密炎孔領域８ｂの板厚より薄くする。好ましくは、疎炎孔領域８ａの板厚を密炎孔領域８ｂの板厚の５０〜７０％にする。【選択図】図４
2007120884.tif 000002
【特許請求の範囲】
【請求項１】
バーナ本体内に供給された混合気を噴出する多数の炎孔を形成した燃焼プレートを備えるグリル用バーナにおいて、
燃焼プレートに、炎孔の配置密度が疎の疎炎孔領域と、疎炎孔領域を囲う、炎孔の配置密度が疎炎孔領域より密の密炎孔領域とが設けられると共に、
燃焼プレートの疎炎孔領域の裏面部分に座ぐり部が形成されて、燃焼プレートの疎炎孔領域の板厚が密炎孔領域の板厚より薄くなっていることを特徴とするグリル用バーナ。
【請求項２】
前記疎炎孔領域の板厚は前記密炎孔領域の板厚の５０〜７０％であることを特徴とする請求項１記載のグリル用バーナ。
【請求項３】
前記燃焼プレートは長方形であり、燃焼プレートの長手方向に連続する帯状に前記疎炎孔領域が設けられることを特徴とする請求項１または２記載のグリル用バーナ。
【発明の詳細な説明】
【技術分野】
【０００１】
本発明は、バーナ本体内に供給された混合気を噴出する多数の炎孔を形成した燃焼プレートを備える、主としてグリルの上火バーナとして用いるグリル用バーナに関する。
【背景技術】
【０００２】
最近は地球温暖化対策として、グリルにおいても省エネルギー化が求められるようになっている。そのため、グリル用バーナの燃焼プレートに、炎孔を配した炎孔領域と炎孔の無い無炎孔領域とを設け、無炎孔領域を炎孔領域で囲うようにしたものが知られている(例えば、特許文献１参照)。
【０００３】
このものでは、無炎孔領域を設けることでグリル用バーナの消費ガス量を減少できるものの、無炎孔領域では燃焼プレートが赤熱せず、熱線が輻射される領域が炎孔領域に限定されて、調理物の焼きむらを生じ易くなる。
【０００４】
この場合、炎孔の配置密度を通常よりも疎にして、燃焼プレートの全域に亘り炎孔を形成することも考えられる。然し、これでは、点火時に火移り不良を生じ易く着火性が悪くなり、また、燃焼プレートの温度が上がりにくくなり、炎のリフトを生じて燃焼が不安定になる不具合がある。
【特許文献１】特許第２７５３４８１号公報
【発明の開示】
【発明が解決しようとする課題】
【０００５】
本発明は、以上の点に鑑み、調理物を焼きむらを生ずることなく均一に焼成できると共に、着火性や燃焼の安定性を損なうことなく消費ガス量を減少できるようにしたグリル用バーナを提供することをその課題としている。
【課題を解決するための手段】
【０００６】
上記課題を解決するために、本発明は、バーナ本体内に供給された混合気を噴出する多数の炎孔を形成した燃焼プレートを備えるグリル用バーナにおいて、燃焼プレートに、炎孔の配置密度が疎の疎炎孔領域と、疎炎孔領域を囲う、炎孔の配置密度が疎炎孔領域より密の密炎孔領域とが設けられると共に、燃焼プレートの疎炎孔領域の裏面部分に座ぐり部が形成されて、燃焼プレートの疎炎孔領域の板厚が密炎孔領域の板厚より薄くなっていることを特徴とする。
【０００７】
本発明によれば、疎炎孔領域を設けることで消費ガス量が減少する。しかも、従来の無炎孔領域を設けるものと異なり、燃焼プレートは疎炎孔領域においても赤熱し、そのため、密炎孔領域のみならず疎炎孔領域からも熱線が輻射され、グリル庫内の調理物が焼きむらを生ずることなく均一に焼成される。
【０００８】
また、点火時には、密炎孔領域で良好に火移りし、密炎孔領域からこれに囲われる疎炎孔領域に火移りされる。そして、疎炎孔領域の板厚が薄いため、燃焼プレートの温度が疎炎孔領域でも速やかに上昇し、疎炎孔領域における火移りも良好になって着火性が確保されると共に、疎炎孔領域における炎のリフトが防止されて燃焼の安定性も確保される。
【０００９】
ところで、燃焼プレートの疎炎孔領域の表面部分を窪ませて、疎炎孔領域の板厚を薄くすることも考えられるが、これでは、密炎孔領域と疎炎孔領域の表面に高低差を生ずることになり、密炎孔領域から疎炎孔領域にうまく火移りしなくなる。これに対し、本発明では、燃焼プレートの疎炎孔領域の裏面部分に座ぐり部を形成して、疎炎孔領域の板厚を薄くしているため、密炎孔領域の表面と疎炎孔領域の表面とが高低差の無い連続した面となって、密炎孔領域から疎炎孔領域に良好に火移りする。
【００１０】
尚、疎炎孔領域の板厚が密炎孔領域の板厚の５０％を下回ると、疎炎孔領域の温度が高くなりすぎて逆火を生じ易くなり、また、疎炎孔領域の板厚が密炎孔領域の板厚の７０％を上回ると、疎炎孔領域の温度上昇が遅くなって火移り不良を生じ易くなる。そのため、疎炎孔領域の板厚は密炎孔領域の板厚の５０〜７０％であることが望ましい。そして、このようにすれば、密炎孔領域の炎孔配置密度を燃焼プレートが低温でも良好な火移りが行われる必要最小限の密度に設定した場合に、疎炎孔領域の炎孔配置密度を密炎孔領域の炎孔配置密度の５０％程度まで減少させ、且つ、疎炎孔領域と密炎孔領域との合計面積に対する疎炎孔領域の面積割合を５５％程度まで増加させても、疎炎孔領域における着火性と燃焼の安定性とを確保できる。
【００１１】
燃焼プレートが長方形である場合、燃焼プレートの長手方向の間隔を存して複数の疎炎孔領域を設けることも可能であるが、これでは、燃焼プレートの裏面にその長手方向複数箇所に分けて座ぐり部を形成することが必要になり、座ぐり部の加工が面倒になる。これに対し、長方形の燃焼プレートの長手方向に連続する帯状に疎炎孔領域を設ければ、燃焼プレートの裏面に形成する座ぐり部も燃焼プレートの長手方向に連続することになり、座ぐり部の加工が容易になる。
【発明を実施するための最良の形態】
【００１２】
図１はグリル付きのガスコンロを示している。このガスコンロのコンロ本体１内にはグリル庫２が設けられている。グリル庫２内には、魚等の調理物Ｗを載置する焼き網３を支持するグリル皿４が収納されている。グリル皿４はグリル庫２の前面開口を閉じるグリル扉５に連結されており、グリル扉５を手前に引くことでグリル皿４が焼き網３と共にグリル庫２の前方に引き出される。また、グリル庫２の天井部には、上火バーナたるグリル用バーナ６が装着されており、グリル用バーナ６からの熱で調理物Ｗが焼成される。
【００１３】
グリル用バーナ６は、図２に示す如く、下向きに開口する板金製のバーナ本体７と、バーナ本体７の開口部７１に装着されるセラミックス製の燃焼プレート８と、燃焼プレート８をバーナ本体７に押さえつける板金製のカバー９とで構成されている。バーナ本体７の開口部７１は、前側の開口部分とその左右両端部から後方にのびる左右両側の開口部分とを有するコ字状に形成され、カバー９にも同様のコ字状の開口９１が形成されている。そして、バーナ本体７の前側の開口部分に横方向に長手の長方形の１枚の燃焼プレート８を装着すると共に、バーナ本体７の左右各側の開口部分に前後方向に長手の長方形の前後２枚の燃焼プレート８，８を装着している。各燃焼プレート８には、バーナ本体７の後部に一体に形成した混合管７２を介してバーナ本体７内に供給される燃料ガスと一次空気との混合気を噴出する多数の炎孔８１(図４参照)が形成されている。これら炎孔８１から噴出した混合気は燃焼プレート８の下向きの表面上で燃焼し、燃焼プレート８の表面が赤熱されて、燃焼プレート８からの輻射熱と燃焼排気の熱とにより調理物Ｗが焼成される。
【００１４】
各燃焼プレート８には、炎孔８１の配置密度が疎の疎炎孔領域８ａと、疎炎孔領域８ａを囲う、炎孔８１の配置密度が疎炎孔流域８ａより密の密炎孔領域８ｂとが設けられている。以下、バーナ本体７の左右各側の開口部分に装着する前側の燃焼プレート８を例にしてこの点を詳述する。
【００１５】
図３、図４を参照して、燃焼プレート８の側縁寄りの部分はバーナ本体７とカバー９との間に挟まれる挟持部８ｃになっている。そして、カバー９の開口９１に臨む挟持部８ｃより内側の部分に炎孔８１を形成している。尚、挟持部８ｃ寄りの部分は、バーナ本体７及びカバー９への熱引きで温度上昇が抑制される部分であり、ここに炎孔８１を形成しても燃焼が不安定になるため、この部分は炎孔８１を形成しない無炎孔領域８ｄとしている。また、カバー９の開口９１に臨む燃焼プレート８の部分の表面(図４の上面)には、燃焼性を向上させるため、多数の小突起８２が形成されている。
【００１６】
無炎孔領域８ｄより内側の炎孔形成領域のうち燃焼プレート８の幅方向中間部分には、燃焼プレート８の長手方向に連続する帯状の疎炎孔領域８ａが設けられており、この疎炎孔領域８ａの周囲を囲うようにして密炎孔領域８ｂが設けられている。これによれば、点火時に密炎孔領域８ｂで良好に火移りし、密炎孔領域８ｂから疎炎孔領域８ａに火移りして、疎炎孔領域８ａと密炎孔領域８ｂとの全域で混合気の燃焼が行われる。従って、燃焼プレート８の表面が疎密の両炎孔領域８ａ，８ｂの全域で赤熱され、両炎孔領域８ａ，８ｂからの輻射熱で調理物Ｗが焼きむらを生ずることなく均一に焼成される。
【００１７】
ここで、グリル用バーナ６の消費ガス量を減少するには、密炎孔領域８ｂにおける炎孔配置密度を、燃焼プレート８が低温でも良好な火移りが行われる必要最小限の密度、例えば、直径０．８ｍｍの炎孔８１が１．２ｍｍのピッチで配置されるような密度に設定すると共に、疎炎孔領域８ａにおける炎孔配置密度をできるだけ低くし、更に、疎炎孔領域８ａと密炎孔領域８ｂとの合計面積に対する疎炎孔領域８ａの面積割合をできるだけ大きくすることが望まれる。本実施形態では、疎炎孔領域８ａにおける炎孔配置密度が密炎孔領域８ｂの約５０％、疎炎孔領域８ａと密炎孔領域８ｂとの合計面積に対する疎炎孔領域８ａの面積割合が約５５％に設定されている。
【００１８】
尚、密炎孔領域８ｂの炎孔配置密度を上記の如く設定した場合、密炎孔領域８ｂでの逆火を防止するには、燃焼プレート８の密炎孔領域８ｂの板厚を８ｍｍ程度に設定する必要がある。この場合、燃焼プレート８の疎炎孔領域８ａの板厚が密炎孔領域８ｂの板厚と同じであると、疎炎孔領域８ａでの燃焼プレート８の温度上昇が遅れる。そして、上記の設定では疎炎孔領域８ａでの火移り不良を生ずると共に、炎のリフトを生じ易く燃焼が不安定になる。そこで本実施形態では、燃焼プレート８の疎炎孔領域８ａの裏面部分に座ぐり部８３を形成して、燃焼プレート８の疎炎孔領域８ａの板厚を密炎孔領域８ｂの板厚より薄くしている。
【００１９】
これによれば、燃焼プレート８の温度が疎炎孔領域８ａでも速やかに上昇し、疎炎孔領域８ａにおける火移りも良好になって着火性が確保されると共に、疎炎孔領域８ａにおける炎のリフトが防止されて燃焼の安定性も確保される。尚、疎炎孔領域８ａの炎孔配置密度と面積割合とを上記の如く設定した場合、疎炎孔領域８ａの板厚が密炎孔領域８ｂの板厚の５０％を下回ると、疎炎孔領域８ａの温度が高くなりすぎて逆火を生じ易くなる。また、疎炎孔領域８ａの板厚が密炎孔領域８ｂの板厚の７０％を上回ると、疎炎孔領域８ａの温度上昇が遅くなって火移り不良を生じ易くなる。そのため、疎炎孔領域８ａの板厚は密炎孔領域８ｂの板厚の５０〜７０％であることが望ましく、本実施形態では約６３％になっている。
【００２０】
ところで、燃焼プレート８の疎炎孔領域８ａの表面部分を窪ませて、疎炎孔領域８ａの板厚を薄くすることも考えられる。然し、これでは、密炎孔領域８ｂと疎炎孔領域８ａの表面に高低差を生ずることになり、密炎孔領域８ｂから疎炎孔領域８ａにうまく火移りしなくなる。一方、本実施形態では、燃焼プレート８の疎炎孔領域８ａの裏面部分に座ぐり部８３を形成して、疎炎孔領域８ａの板厚を薄くしているため、密炎孔領域８ｂの表面と疎炎孔領域８ａの表面とが高低差の無い連続した面となって、密炎孔領域８ｂから疎炎孔領域８ａに良好に火移りする。
【００２１】
尚、上記実施形態では、燃焼プレート８の炎孔形成部分の幅方向中間部に、燃焼プレート８の長手方向に連続してのびる比較的幅広の帯状の一つの疎炎孔領域８ａを設けたが、これに限るものではない。例えば、図５、図６に示すように、燃焼プレート８の長手方向に連続してのびる比較的幅狭の帯状の二つの疎炎孔領域８ａ，８ａを中間に密炎孔領域８ｂを介在させた状態で並設しても良い。
【００２２】
また、燃焼プレート８の長手方向の間隔を存して複数の疎炎孔領域８ａを設けることも可能である。但し、これでは、燃焼プレート８の裏面にその長手方向複数箇所に分けて座ぐり部８３を形成することが必要になり、座ぐり部８３の加工が面倒になる。これに対し、上記実施形態の如く燃焼プレート８の長手方向に連続する帯状の疎炎孔領域８ａを設ければ、燃焼プレート８の裏面に形成する座ぐり部８３も燃焼プレート８の長手方向に連続するため、座ぐり部８３の加工が容易になり、有利である。
【図面の簡単な説明】
【００２３】
【図１】本発明の実施形態のグリル用バーナを備えるグリルを内蔵するコンロの切断側面図。
【図２】実施形態のグリル用バーナの分解状態の斜視図。
【図３】実施形態のグリル用バーナに備える燃焼プレートの平面図。
【図４】図３のＩＶ−ＩＶ線切断面図。
【図５】燃焼プレートの他の実施形態の平面図。
【図６】図５のＶＩ−ＶＩ線切断面図。
【符号の説明】
【００２４】
６…グリル用バーナ、７…バーナ本体、８…燃焼プレート、８ａ…疎炎孔領域、８ｂ…密炎孔領域、８１…炎孔、８３…座ぐり部。
【図１】
2007120884.tif 000003
【図２】
2007120884.tif 000004
【図３】
2007120884.tif 000005
【図４】
2007120884.tif 000006
【図５】
2007120884.tif 000007
【図６】
2007120884.tif 000008